(57)【要約】      （修正有）【課題】より立体的で奥行き感のあるシルエットを表現し得る衣類を提供する。【解決手段】プリーツを有する衣類において、プリーツは、着用者を覆う布地の一部が内側に折り込まれたプリーツ部分を備え、プリーツ部分は、上側の布地３２がさらに内側に折り込まれ、折り込みにより重ねられた布地３２同士が一定距離だけ縫い合わされており、この縫い合わされた布地３２同士は、互いの外側の面が向かい合い、互いの内側の面から縫い合わされている。衣類は、スカートであり、プリーツは、スカートの上端から一定距離だけ下方に離れた位置に設けられる。【選択図】図３
0003225017.tif 000002
【実用新案登録請求の範囲】
【請求項１】
プリーツ（２）を有する衣類（１）において、
前記プリーツ（２）は、
着用者を覆う布地（３）の一部が内側に折り込まれたプリーツ部分（２１）を備え、
前記プリーツ部分（２１）は、
上部の布地（３２）がさらに内側に折り込まれ、当該折り込みにより重ねられた布地（３２）同士が一定距離だけ縫い合わされている
ことを特徴とする衣類（１）。
【請求項２】
前記縫い合わされた布地（３２）同士は、互いの外側の面が向かい合い、互いの内側の面から縫い合わされている
ことを特徴とする請求項１に記載の衣類（１）。
【請求項３】
前記プリーツ部分（２１）の上部の布地（３２）は、三角形の頂点から延びる垂線に沿って折り込まれ、前記頂点を起点として斜め下方に前記一定距離だけ延びる２辺の位置において縫い合わされている
ことを特徴とする請求項１又は２に記載の衣類（１）。
【請求項４】
前記衣類（１）は、前記着用者の腰から下方を覆うスカートであり、
前記プリーツ（２）は、前記スカートの上端から一定距離だけ下方に離れた位置に設けられる
ことを特徴とする請求項１〜３のいずれか一項に記載の衣類（１）。
【請求項５】
前記プリーツ（２）の上端は、前記着用者の膝の上側に位置する
ことを特徴とする請求項４に記載の衣類（１）。
【請求項６】
前記スカートの布地（３）は、第１布地（３１）と、前記第１布地（３１）とは異なる布地であり、かつ、前記プリーツ部分（２１）に用いられる第２布地（３２）とを含む
ことを特徴とする請求項４又は５に記載の衣類（１）。
【考案の詳細な説明】
【技術分野】
【０００１】
本考案は、衣類に関する。
【背景技術】
【０００２】
従来、デザイン性又は機能性を高めることを目的としてプリーツを有する衣類が存在する。例えば特許文献１には、タックプリーツやボックスプリーツ等のプリーツを有するスカートが開示されている。プリーツを有することにより、広がりのある立体感を表現することができるとともに、動きやすさを高めることができる。
【先行技術文献】
【特許文献】
【０００３】
【特許文献１】実開平７−１５７０８号公報
【考案の概要】
【考案が解決しようとする課題】
【０００４】
プリーツを有する衣類は、布地が繰り返し内側に折り込まれることによって、立体的で奥行き感のあるシルエットを表現することができる。しかし着用者の動きによってはこの折り込み形状が維持されず、プリーツ特有の立体的形状が損なわれることがある。
【０００５】
本考案は、より立体的で奥行き感のあるシルエットを表現し得る衣類の提供を目的とする。
【課題を解決するための手段】
【０００６】
本考案の一態様の衣類（１）は、プリーツ（２）を有する衣類（１）において、プリーツ（２）は、着用者を覆う布地（３）の一部が内側に折り込まれたプリーツ部分（２１）を備え、プリーツ部分（２１）は、上部の布地（３２）がさらに内側に折り込まれ、当該折り込みにより重ねられた布地（３２）同士が一定距離だけ縫い合わされている。
【考案の効果】
【０００７】
本考案によれば、より立体的で奥行き感のあるシルエットを表現し得る衣類を提供することができる。
【図面の簡単な説明】
【０００８】
【図１】本実施形態のスカートの外観を示す斜視図である。
【図２】プリーツの上側を外側から示す拡大図である。
【図３】プリーツの上側を内側から示す拡大図である。
【図４】図３のＡ−Ａ線における断面図である。
【図５】縫い合わせる前の布地を示す平面図である。
【考案を実施するための形態】
【０００９】
以下、本考案の衣類の実施の形態について、図面を参照して説明する。以下に説明する構成は、本考案の一実施態様であり、本考案はこれに限定されない。
【００１０】
本考案の衣類としては、プリーツを有するのであれば特に限定されず、例えばスカート、ワンピース、シャツ、スーツ、コート等のプリーツを有する衣類が挙げられる。以下の説明においては、プリーツを有するスカートの例を説明する。
【００１１】
なお説明中、上とは図面中の方向Ｙ１をいい、下とは図面中の方向Ｙ２をいう。また右とは図面中の方向Ｘ１をいい、左とは図面中の方向Ｘ２をいう。また、内側とは着用者と接する側をいい、外側とは内側の反対側をいう。
【００１２】
図１は、本考案の衣類の一実施形態であるスカート１の外観を示す。
本実施形態のスカート１は、着用者の腰から下方を覆う布地３を備えて構成される。スカート１の長さは特に限定されないが、例えばスカート１は着用者の腰から足首までの長さを有する。
【００１３】
スカート１は、複数のプリーツ２を有する。プリーツ２は、布地３が内側に折り込まれることによって形成される。
【００１４】
本実施形態の布地３は、複数の第１布地３１と複数の第２布地３２とを含む。第１布地３１に第２布地３２を加えることにより、スカート１の布地量を増やしてドレープ状の美しいプリーツ２を形成することができる。
【００１５】
第１布地３１は、スカート１の上端から下端までの長さを有する。また第１布地３１は四角形状である。
【００１６】
第２布地３２は、第１布地３１よりも短く、スカート１の上端から一定距離下側に離れた位置から下端までの長さを有する。第１布地３１と第２布地３２の下端の位置は同じである。また第２布地３２は下側に底辺を有する三角形状である。
【００１７】
第１布地３１と第２布地３２は交互に連結されて、スカート１を構成する。具体的には、複数の第１布地３１が着用者の胴回り方向（Ｙ１−Ｙ２軸を中心とする回転方向）に並べて配置され、各第１布地３１の間であって裾側に複数の第２布地３２が配置されて、互いの胴回り方向の両側の端部が縫着される。
【００１８】
（プリーツ）
本実施形態のプリーツ２は、第２布地３２を用いてスカート１の下部の布地量を増やすことによって、スカート１の上端から一定距離だけ下方に離れた位置に設けられる。
【００１９】
プリーツ２の上端は、着用者の膝の上側に位置すると、裾に広がりのあるマーメイド型の立体的形状を形成することができる。デザイン性が高く、着用者が動きやすいスカート１を提供することができる。
【００２０】
図２は、図１中のプリーツ２の上部の拡大図である。
プリーツ２は、布地３の一部である第２布地３２が内側に折り込まれたプリーツ部分２１を備える。このプリーツ部分２１がスカート１に奥行きのある立体感を付与する。
【００２１】
図３は、プリーツ２の上部を内側から示す拡大図である。
スカート１は、プリーツ部分２１の内側に固定部２２を備える。
【００２２】
固定部２２では、プリーツ部分２１の上部の第２布地３２がさらに内側に折り込まれ、当該折り込みにより重ねられた第２布地３２同士が一定距離だけ縫い合わされて、ステッチ３５が設けられる。固定部２２により、プリーツ部分２１の内側への折り込み形状を固定して維持できる。
【００２３】
図４は、図３中のＡ−Ａ線における断面図である。
第２布地３２の折り込み部分には長さｄ１のステッチ３５が設けられる。ステッチ３５は、折り込まれて重ねられた第２布地３２同士を連結する。第２布地３２同士は、互いの外側の面が向かい合う。
【００２４】
第１布地３１及び第２布地３２とは互いの外側の面が向かい合う状態で縫い合わされて、ステッチ３６が設けられる。ステッチ３６は、第１布地３１及び第２布地３２の各端部から一定距離離れた位置に設けられ、両者を連結する。
【００２５】
第１布地３１及び第２布地３２の各端部には、かがり縫い等の端処理によってステッチ３７が設けられる。ステッチ３７は、第１布地３１と第２布地３２の端部のほつれを抑える。
【００２６】
図５は、第２布地３１を折り込んで縫い合わせる前の第１布地３１及び第２布地３２を示す。第１布地３１及び第２布地３２は、ステッチ３６により互いに連結され、ステッチ３７により端処理されている。
【００２７】
上記固定部２２を形成する際、斜線で示す三角形の頂点４１から三角形の底辺に向かって延びる垂線４３に沿って第２布地３２が内側に折り込まれる。このとき、折り込まれて外側の面が向かい合う第２布地３２同士は、頂点４１を起点として斜め下方に延びる三角形の２辺４２の位置が一致するように、重ねられる。
【００２８】
重ねられた第２布地３２同士は２辺４２の位置で中縫いされ、ステッチ３５が設けられる。中縫いとは、中表で縫い合わせることをいう。言い換えれば、外側の面を向かい合わせて布地を折り込み、内側の面から縫い合わせることをいう。
【００２９】
ステッチ３５の長さｄ１、すなわち第２布地３２同士を縫い合わせる一定距離ｄ１は、特に限定されないが、例えば２．５ｃｍ程度が好ましい。ｄ１が２．５ｃｍの場合、プリーツ２の内側への折り込み形状を維持しやすく、プリーツ２の奥行き感を維持しやすい。
【００３０】
ステッチ３５の上端の位置、すなわち頂点４１の位置は、三角形状の第２布地３２の上端３２１から一定距離ｄ２だけ下側に離れた位置であると、第２布地３２の縫い合わせが容易であり、好ましい。
【００３１】
第２布地３２の上端３２１から頂点４１までの距離ｄ２は、プリーツ２の内側への折り込み形状を維持する観点からは、例えば１．５ｃｍ程度が好ましい。
【００３２】
第２布地３２の端部からステッチ３５までの距離ｄ３も特に限定されないが、例えば０．５ｃｍ程度とすることができる。ｄ３が０．５ｃｍの場合、縫い合わせが容易になり、プリーツ部分２１の奥行き感が形成されやすい。
【００３３】
第２布地３２に対する折り込み部分の比率、すなわち第２布地３２の上端３２１から第２布地３２の底辺までの垂線の長さに対する垂線４３の比率は、おおむね１／２０程度が好ましい。ここでは垂線４３の長さを２．４ｃｍ程度に設定している。この場合、プリーツ２の内側への折り込み形状を維持しやすく、プリーツ２の奥行き感を維持しやすい。
【００３４】
以上のように、本実施形態のスカート１によれば、プリーツ部分２１の上部の内側に固定部２２が設けられ、内側へ折り込まれたプリーツ部分２１がさらに内側に折り込まれて縫い合わされる。内側への折り込み形状が固定されるため、歩行等の着用者の動きによってプリーツ部分２１が外側に押し出されても内側への折り込み形状が崩れにくくなり、プリーツ２の奥行き感のある立体形状を維持することができる。
【００３５】
以上、本考案の好ましい実施形態について説明したが、本考案は、これらの実施形態に限定されず、その要旨の範囲内で種々の変形及び変更が可能である。
【００３６】
例えば、上記実施形態では、スカート１の布地３は第１布地３１と第２布地３２から構成されていたが、スカート１の目的の形状に合わせて３以上の布地が用いられてもよい。またスカート１は１枚の布地３で構成されていてもよい。１枚の布地３の量を調整することによって同様にプリーツ２を形成することができる。
【００３７】
また上記実施形態のように三角形の２辺４２の位置で第２布地３２を縫い合わせることで自然な折り込み形状を形成することができるが、折り込み形状を維持できるのであれば、縫い合わせる位置はこれに限定されない。例えば第２布地３２は平行な２つの直線の位置が一致するように折り込まれて当該位置で縫い合わされてもよい。
【００３８】
本考案は、上述したスカート１のプリーツ２に限らず適用することができる。例えば、ワンピースの裾に設けられるプリーツ、シャツの背面側に設けられるプリーツ、袖口に設けられるプリーツ等に上述した固定部２２を設けることにより、プリーツの奥行き感のある立体形状を維持することができる。
【符号の説明】
【００３９】
１・・・スカート、２・・・プリーツ、２１・・・内側に折り込まれたプリーツ部分、２２・・・固定部、３・・・布地、３１・・・第１布地、３２・・・第２布地、３５〜３７・・・ステッチ
【図１】
0003225017.tif 000003
【図２】
0003225017.tif 000004
【図３】
0003225017.tif 000005
【図４】
0003225017.tif 000006
【図５】
0003225017.tif 000007
【手続補正書】
【提出日】令和1年11月29日(2019.11.29)
【手続補正１】
【補正対象書類名】実用新案登録請求の範囲
【補正対象項目名】全文
【補正方法】変更
【補正の内容】
【実用新案登録請求の範囲】
【請求項１】
プリーツ（２）を有する衣類（１）において、
前記プリーツ（２）は、
着用者を覆う布地（３）の一部が内側に折り込まれたプリーツ部分（２１）を備え、
前記プリーツ部分（２１）は、
上部の布地（３２）がさらに内側に折り込まれ、当該折り込みにより重ねられた布地（３２）同士が一定距離だけ縫い合わされている
ことを特徴とする衣類（１）。
【請求項２】
前記縫い合わされた布地（３２）同士は、互いの外側の面が向かい合い、互いの内側の面から縫い合わされている
ことを特徴とする請求項１に記載の衣類（１）。
【請求項３】
前記プリーツ部分（２１）の上部の布地（３２）は、三角形の頂点から延びる垂線に沿って折り込まれ、前記頂点を起点として斜め下方に前記一定距離だけ延びる２辺の位置において縫い合わされている
ことを特徴とする請求項１又は２に記載の衣類（１）。
【請求項４】
前記衣類（１）は、前記着用者の腰から下方を覆うスカートであり、
前記プリーツ（２）は、前記スカートの上端から一定距離だけ下方に離れた位置に設けられる
ことを特徴とする請求項１〜３のいずれか一項に記載の衣類（１）。
【請求項５】
前記プリーツ（２）の上端は、前記着用者の膝の上側に位置する
ことを特徴とする請求項４に記載の衣類（１）。